(57)【要約】【課題】ポールへの取り付けの際にＵ字金具と組み合わせて使用されると取付部材に、壁面への取付機能を付与することにより、反りを防止しつつ部品点数を削減して、工事性とコスト面で優れたビームセンサの取付構造を提供する。【解決手段】ビームセンサのベースが取り付けられるセンサ取付部、ポールの外周面が当接するポール受部及び取付ネジ用の孔を有するネジ固定部が設けられた取付部材を備え、ベースをポールに取り付ける際には、取付部材のポール受部をポール側に指向させてネジ固定部にポールに嵌挿されたＵ字金具をネジで固定し、ベースを壁面に取り付ける際には、取付部材のポール受部を反壁面側に指向させてネジ固定部を壁面にネジで固定することを特徴とする。前記センサ取付部が平面視略方形状に形成され、該センサ取付部の外周４辺に前記ポール受部とネジ固定部が対向状態で設けられる。【選択図】  図１
2008128354.tif 000002
【特許請求の範囲】
【請求項１】
ビームセンサのベースが取り付けられるセンサ取付部、ポールの外周面が当接するポール受部及び取付ネジ用の孔を有するネジ固定部が設けられた取付部材を備え、
前記ベースをポールに取り付ける際には、前記取付部材のポール受部をポール側に指向させて前記ネジ固定部にポールに嵌挿されたＵ字金具をネジで固定し、前記ベースを壁面に取り付ける際には、前記取付部材のポール受部を反壁面側に指向させて前記ネジ固定部を壁面にネジで固定することを特徴とするビームセンサの取付構造。
【請求項２】
前記センサ取付部が平面視略方形状に形成され、該センサ取付部の外周４辺に前記ポール受部とネジ固定部が対向状態で設けられていることを特徴とする請求項１に記載のビームセンサの取付構造。
【請求項３】
前記ポール受部がその先端部に爪を有して前記センサ取付部の一方の面に所定寸法突出する状態で一体形成され、前記ネジ固定部が前記センサ取付部の他方の面側に所定の段差を有して一体形成されていることを特徴とする請求項１または２に記載のビームセンサの取付構造。
【発明の詳細な説明】
【技術分野】
【０００１】
本発明は、投光器と受光器を備えたビームセンサをポールや壁面に取り付けるための取付構造に関する。
【背景技術】
【０００２】
一般的に、防犯装置として使用されるビームセンサは、赤外線を照射する投光器と、投光器から照射された赤外線を受光する受光器とを備えて、屋外等の所定位置に設置されたポールや所定の壁面に取り付けられている。従来、このようなビームセンサのポールや壁面への取付構造としては、次の２つの構造が採用されていた。
【０００３】
すなわち、第１の取付構造は、例えば図６に示すような反りにくい金属製のシャーシ１０１を用い、ポール１０２への取り付けの際には、シャーシ１０１に対してＵ字金具１０３をネジで直接固定するようにし、壁面への取り付けの際には、シャーシ１０１を壁面にネジで直接固定するようにしたものである。また、第２の取付構造は、図６に示す金具１０４とＵ字金具１０３を用い、ポール１０２への取り付けの際には、金具１０４とＵ字金具１０３をネジ１０５で固定した後に金具１０４にシャーシ１０１を固定するようにし、壁面への取り付けの際には、シャーシ１０１を壁面にネジで直接固定するようにしたものである。なお、この種の取付構造に関する特許文献としては、例えば特許文献１が知られている。
【特許文献１】実用新案登録第２６０６９８８号公報
【発明の開示】
【発明が解決しようとする課題】
【０００４】
しかしながら、前記第１の取付構造にあっては、シャーシ１０１に取り付けられるビームセンサのベースの反りを完全に防ぐことが困難であり、また、第２の取付構造にあっては、金具１０４とＵ字金具１０３及びシャーシ１０１の３つの部材が必要となり、部品点数が増加して、取り付けのための工事性やコスト面で劣るという問題点を有している。
【０００５】
本発明は、このような事情に鑑みてなされたもので、その目的は、ポールへの取り付けの際にＵ字金具と組み合わせて使用される取付部材に、壁面への取付機能を付与することにより、反りを防止しつつ部品点数を削減して、工事性とコスト面で優れたビームセンサの取付構造を提供することにある。
【課題を解決するための手段】
【０００６】
かかる目的を達成すべく、本発明のうち請求項１に記載の発明は、ビームセンサのベースが取り付けられるセンサ取付部、ポールの外周面が当接するポール受部及び取付ネジ用の孔を有するネジ固定部が設けられた取付部材を備え、前記ベースをポールに取り付ける際には、前記取付部材のポール受部をポール側に指向させて前記ネジ固定部にポールに嵌挿されたＵ字金具をネジで固定し、前記ベースを壁面に取り付ける際には、前記取付部材のポール受部を反壁面側に指向させて前記ネジ固定部を壁面にネジで固定することを特徴とする。
【０００７】
また、請求項２に記載の発明は、前記センサ取付部が平面視略方形状に形成され、該センサ取付部の外周４辺に前記ポール受部とネジ固定部が対向状態で設けられていることを特徴とする。さらに、請求項３に記載の発明は、前記ポール受部がその先端部に爪を有して前記センサ取付部の一方の面に所定寸法突出する状態で一体形成され、前記ネジ固定部が前記センサ取付部の他方の面側に所定の段差を有して一体形成されていることを特徴とする。
【発明の効果】
【０００８】
本発明のうち請求項１に記載の発明によれば、ビームセンサのベースをポールに取り付ける際には、取付部材のポール受部をポール側に指向させてネジ固定部にポールに嵌挿されたＵ字金具をネジで固定し、ベースを壁面に取り付ける際には、取付部材のポール受部を反壁面側に指向させてネジ固定部を壁面にネジで固定するため、取付部材を反転させることでポールと壁面の両取り付けに使用できて、取り付けのための部品点数を削減して、工事性とコスト面で優れた取付構造を得ることができる。
【０００９】
また、請求項２に記載の発明によれば、請求項１に記載の発明の効果に加え、平面視略方形状に形成されたセンサ取付部の外周４辺にポール受部とネジ固定部が対向状態で設けられているため、一対のポール受部によりポールを確実に支持できたり、一対のネジ固定部によりＵ字金具や壁面にネジを確実に固定することができる。
【００１０】
さらに、請求項３に記載の発明によれば、請求項１または２に記載の発明の効果に加え、先端部に爪を有するポール受部がセンサ取付部の一方の面に所定寸法突出する状態で一体形成され、ネジ固定部がセンサ取付部の他方の面側に所定の段差を有して一体形成されているため、ポール受部やネジ固定部をセンサ取付部にプレス加工等により一体形成できて、部品コストを一層低減させることができる。
【発明を実施するための最良の形態】
【００１１】
以下、本発明の実施の形態を図面に基づいて詳細に説明する。
図１〜図５は、本発明に係わる取付構造の一実施形態を示し、図１がポールへの取付状態の概略斜視図、図２がその横断面図、図３が取付部材の斜視図、図４がその正面図及び側面図、図５が壁面への取付状態の横断面図である。
【００１２】
図１及び図２に示すように、ビームセンサ１は、そのベース２が金属製の取付部材３とＵ字金具４によってポール５に取り付けられる。この時、取付部材３は、図３及び図４に示すように、平面視略長方形状の平坦なセンサ取付部３ａと、このセンサ取付部３ａの上下方向端部に対向状態でそれぞれ設けられたポール受部３ｂと、センサ取付部３ａの左右幅方向端部に対向状態でそれぞれ設けられたネジ固定部３ｃを有し、これらがステンレス板のプレス加工等によって一体形成されている。
【００１３】
また、前記ポール受部３ｂは、センサ取付部３ａの一方の面に所定寸法突出状態で形成されると共に、その先端部の両側には中央部を切り欠くことにより一対の爪６が形成され、この爪６間の寸法は取り付けられるポール５の外径に対応できる寸法に設定されている。さらに、前記ネジ固定部３ｃは、センサ取付部３ａの他方の面に折り曲げにより形成された段差７を有して平板状に延設されると共に、各ネジ固定部３ｃには一対の取付部材用固定孔８がそれぞれ穿設されている。なお、センサ取付部３ａには、ベースを固定するためのネジ孔９が一対穿設されている。
【００１４】
前記Ｕ字金具４は、取り付けられるポール５の外径に対応した内径を有してＵ字状に折り曲げられた折曲部４ａと、この折曲部４ａの両端部に内側方向に向けて設けられた一対の固定部４ｂを有し、各固定部４ｂには取付部材３を固定するための図示しないネジ孔がそれぞれ形成されている。
【００１５】
次に、このように構成された取付部材３を使用したビームセンサ１の取付方法の一例について説明する。先ず、ビームセンサ１をポール５に取り付ける場合は、図１及び図２に示すように、取付部材３のネジ固定部３ｃからＵ字金具固定ネジ１１をＵ字金具４の固定部４ｂのネジ孔にそれぞれねじ込むことにより、取付部材３をＵ字金具４に固定する。この時、Ｕ字金具４の折曲部４ａ内にはポール５を嵌挿した状態とし、取付部材３のポール受部３ｂがポール５に指向した状態で一対のＵ字金具固定ネジ１１をそれぞれ締め付けることにより、取付部材３がポール５側に移動してポール受部３ｂの爪６がポール５の外周面に所定圧で当接する。
【００１６】
この一対の爪６のポール５外周面への当接により、取付部材３のポール５に対する上下方向や軸回り方向への移動が規制されて、取付部材３がポール５に固定される。そして、取付部材３をポール５に固定したら、ビームセンサ１のベース２の上部に設けた固定孔からベース固定ネジ１２を取付部材３のセンサ取付部３ａのネジ孔９にそれぞれねじ込むことにより、ベース２が取付部材３に固定され、その後、ベース２にビームセンサ本体を図示しない取付ネジで取り付ける。これにより、ビームセンサ１の上部が取付部材３を介してポール５に取り付けられて、ビームセンサ１が所定位置に設置される。
【００１７】
一方、ビームセンサ１を壁面１３に取り付ける場合は、図５に示すように、取付部材３のネジ固定部３ｃを壁面１３に当接させて、ネジ固定部３ｃに設けられている取付部材用固定孔８（図３参照）から取付部材固定ネジ１４を壁面１３に直接ねじ込むことにより、取付部材３が壁面１３に固定される。この時、取付部材３のポール受部３ｂは、反壁面１３側に指向して壁面１３への干渉が防止されると共に、センサ取付部３ａから段差７を有した一対のネジ固定部３ｃが壁面１３にそれぞれ密着した状態で固定されることになる。
【００１８】
そして、取付部材３を壁面１３に固定したら、この取付部材３にベース固定ネジ１２でベース２を固定し、その後ベース２にビームセンサ本体を図示しない取付ネジで取り付けることにより、ビームセンサ１が取付部材３を介して壁面１３に取り付けられて、ビームセンサ１が壁面１３の所定位置に設置される。なお、この壁面１３への取付時には、ポール取付時に使用したＵ字金具４は使用しないことになる。つまり、この実施形態の場合、予め取付部材３とＵ字金具４や所定のネジ等を準備し、取付部材３とＵ字金具４を共に使用することによりビームセンサ１をポール５に取り付けでき、また、取付金具３のみを使用することによりビームセンサ１を壁面１３に取り付けできることになる。
【００１９】
このように、上記実施形態の取付構造にあっては、取付部材３のポール受部３ａをポール５側に指向させてネジ固定部３ｃにＵ字金具４をＵ字金具固定ネジ１１で固定することにより、ビームセンサ１をポール５に取り付けることができ、ポール受部３ｂを反壁面１３側に指向させてネジ固定部３ｃを壁面１３に取付部材固定ネジ１４で直接固定することにより、ビームセンサ１を壁面１３に固定できるため、取付部材３を反転させることにより、ビームセンサ１をポール５と壁面１３いずれか一方に取り付けることができる。その結果、従来の第２の取付構造のシャーシ１０１を必要とせず取り付けのための部品点数を削減できて、取付工事自体を簡単に行うことができると共に、コストの低減化を図ることができ、かつ、従来の第１の取付構造に比較して小型で剛性のあるベース２の反り等を確実に防ぐことができて、安定した取付状態を得ることができる。
【００２０】
また、取付部材３の平面視略方形状に形成されたセンサ取付部３ａの外周４辺にポール受部３ｂとネジ固定部３ｃが対向状態で設けられているため、一対のポール受部３ｂによりポール５を確実に支持することができると共に、一対のネジ固定部３ｃによりＵ字金具４や壁面１３にＵ字金具固定ネジ１１や取付部材固定ネジ１４を確実に固定することができて、取付状態を一層安定化させることができる。さらに、ポール受部３ｂがセンサ取付部３ａの一方の面に所定寸法突出する状態で一体形成され、ネジ固定部３ｃがセンサ取付部３ａの他方の面側に所定の段差７を有して一体形成されているため、ポール受部３ａやネジ固定部３ｃをセンサ取付部３ａにプレス加工等により一体形成できて、部品コストを一層低減させることができると共に、壁面１３への取付時にポール受部３ｂが何等干渉することがなく、取付作業を一層容易に行うことができる。
【００２１】
なお、上記実施形態においては、取付部材３を平面視略方形状に形成して、この取付部材３に長尺状のビームセンサ１のベース２の上部を固定したが、本発明はこの構成に限定されず、例えば取付部材３をベース形状に対応した長尺状に形成して、ベース２全体を支持する構造としても良いし、長尺状のベース２の上下を一対の取付部材３でそれぞれ支持する構成としても良い。また、上記実施形態における、取付部材３の全体形状、各孔の数や爪６の形状等は一例であって、ビームセンサ１の外形形状等に応じて適宜に変更することができる。
【産業上の利用可能性】
【００２２】
本発明は、レンズを上下にそれぞれ有するツインレンズ方式のビームセンサやレンズが一つのビームセンサ等、全てのビームセンサの取り付けに利用できる。
【図面の簡単な説明】
【００２３】
【図１】本発明に係わる取付構造を使用したポールへの取付状態を示す斜視図
【図２】同その横断面図
【図３】同取付部材の斜視図
【図４】同その（ａ）が正面図、（ｂ）が側面図
【図５】同壁面への取付状態を示す横断面図
【図６】従来の取付構造を示す斜視図
【符号の説明】
【００２４】
１・・・ビームセンサ、２・・・ベース、３・・・取付部材、３ａ・・・センサ取付部、３ｂ・・・ポール受部、３ｃ・・・ネジ固定部、４・・・Ｕ字金具、４ａ・・・折曲部、４ｂ・・・固定部、５・・・ポール、６・・・爪、７・・・段差、８・・・取付部材用固定孔、９・・・ネジ孔、１１・・・Ｕ字金具固定ネジ、１２・・・ベース固定ネジ、１３・・・壁面、１４・・・取付部材固定ネジ。
【図１】
2008128354.tif 000003
【図２】
2008128354.tif 000004
【図３】
2008128354.tif 000005
【図４】
2008128354.tif 000006
【図５】
2008128354.tif 000007
【図６】
2008128354.tif 000008